(57)【特許請求の範囲】
【請求項１】
利用者による印刷制御情報の入力を受け付ける受付手段と、
前記受付手段が受け付けた印刷制御情報を記憶手段に記憶させる手段と、
印刷対象用紙を入力する操作が行われた場合に、案内画像を表示手段に表示させることにより用紙を設置するための設置部材に設置される前記印刷対象用紙の設置方法を前記操作を行った利用者に案内する案内手段と、
予め定められた操作が行われた場合に、前記記憶手段に記憶される印刷制御情報に基づいて、前記印刷対象用紙への印刷対象画像を表す画像の印刷を印刷手段に行わせる印刷制御手段と、
を含み、
前記印刷制御情報は、
前記印刷対象用紙が封筒であるか否かを示す第１情報と、前記印刷対象用紙の寸法を示す第２情報と、フラップの開閉状態を示す第３情報と、を含み、
前記案内手段は、
前記印刷制御情報に含まれる前記第１情報が前記印刷対象用紙が封筒であることを示す場合、当該印刷制御情報に含まれる前記第３情報が示すフラップの開閉状態に応じて定められている異なる向きの前記印刷対象用紙の設置方法を示す前記案内画像を前記表示手段に表示させること、
を特徴とする画像処理装置。
【請求項２】
前記印刷対象用紙の設置方法は、
前記印刷制御情報に含まれる前記第１情報が前記印刷対象用紙が封筒であることを示す場合、当該印刷制御情報に含まれる前記第３情報がフラップ開状態を示していれば、フラップが設けられていない方の辺を先頭にする、
ことを特徴とする請求項１に記載の画像処理装置。
【請求項３】
前記印刷対象用紙の設置方法は、
前記印刷制御情報に含まれる前記第１情報が前記印刷対象用紙が封筒であることを示す場合、当該印刷制御情報に含まれる前記第３情報がフラップ閉状態を示していれば、フラップが設けられた方の辺を先頭にする、
ことを特徴とする請求項１または２に記載の画像処理装置。
【請求項４】
前記印刷制御手段は、
前記印刷制御情報に含まれる前記第１情報が前記印刷対象用紙が封筒でないことを示す
場合、前記印刷対象画像を前記印刷手段に印刷させ、
前記印刷制御情報に含まれる前記第１情報が前記印刷対象用紙が封筒であることを示す場合、当該印刷制御情報に含まれる前記第３情報がフラップ開状態を示していれば、回転処理がなされた前記印刷対象画像を前記印刷手段に印刷させ、当該第３情報がフラップ閉状態を示していれば、前記印刷対象画像を前記印刷手段に印刷させること、
を特徴とする請求項１から３のいずれか一項に記載の画像処理装置。
【請求項５】
前記印刷対象用紙が封筒であることを示す前記第１情報を含む前記印刷制御情報は、フラップの位置を示す第４情報をさらに含み、
前記案内手段は、
前記印刷制御情報に含まれる前記第１情報が前記印刷対象用紙が封筒であることを示す場合、当該印刷制御情報に含まれる前記第３情報が示すフラップの開閉状態と、当該印刷制御情報に含まれる前記第４情報が示す位置と、の組み合わせに応じた前記案内画像を前記表示手段に表示させること、
を特徴とする請求項１から４のいずれか一項に記載の画像処理装置。
【請求項６】
利用者による印刷制御情報の入力を受け付ける受付手段、
前記受付手段が受け付けた印刷制御情報を記憶手段に記憶させる手段と、
印刷対象用紙を入力する操作が行われた場合に、案内画像を表示手段に表示させることにより用紙を設置するための設置部材に設置される前記印刷対象用紙の設置方法を前記操作を行った利用者に案内する案内手段、
予め定められた操作が行われた場合に、前記記憶手段に記憶される印刷制御情報に基づいて、前記印刷対象用紙への印刷対象画像を表す画像の印刷を印刷手段に行わせる印刷制御手段、
を含み、
前記印刷制御情報は、
前記印刷対象用紙が封筒であるか否かを示す第１情報と、前記印刷対象用紙の寸法を示す第２情報と、フラップの開閉状態を示す第３情報と、を含み、
前記案内手段は、
前記印刷制御情報に含まれる前記第１情報が前記印刷対象用紙が封筒であることを示す場合、当該印刷制御情報に含まれる前記第３情報が示すフラップの開閉状態に応じて定められている異なる向きの前記印刷対象用紙の設置方法を示す前記案内画像を前記表示手段に表示させること、
を特徴とするプログラム。
【発明の詳細な説明】
【技術分野】
【０００１】
本発明は、画像処理装置及びプログラムに関する。
【背景技術】
【０００２】
下記特許文献１には、印刷対象の用紙のサイズが定形封筒の封筒サイズである場合に印刷対象の画像を１８０度回転してなる画像を印刷手段に印刷させること、が記載されている。
【先行技術文献】
【特許文献】
【０００３】
【特許文献１】特開２００５−５６００１号公報
【発明の概要】
【発明が解決しようとする課題】
【０００４】
本発明の目的は、非定型の封筒に画像を印刷手段に印刷させる際に用いる印刷制御情報を利用者が登録できるようにすることである。
【課題を解決するための手段】
【０００５】
上記課題を解決するための請求項１の発明は、利用者による印刷制御情報の入力を受け付ける受付手段と、前記受付手段が受け付けた印刷制御情報を記憶手段に記憶させる手段と、予め定められた操作が行われた場合に、前記記憶手段に記憶される印刷制御情報に基づいて、印刷対象用紙への印刷対象画像を表す画像の印刷を印刷手段に行わせる印刷制御手段と、を含み、前記印刷制御情報は、前記印刷対象用紙が封筒であるか否かを示す第１情報と、前記印刷対象用紙の寸法を示す第２情報と、を含むことを特徴とする画像処理装置である。
【０００６】
また、請求項２の発明は、請求項１の発明において、前記印刷制御手段は、前記印刷制御情報に含まれる前記第１情報が前記印刷対象用紙が封筒であることを示す場合、回転処理がなされた前記印刷対象画像を前記印刷手段に印刷させ、前記印刷制御情報に含まれる前記第１情報が前記印刷対象用紙が封筒でないことを示す場合、前記印刷対象画像を前記印刷手段に印刷させることを特徴とする。
【０００７】
また、請求項３の発明は、請求項２の発明において、前記印刷対象用紙が封筒であることを示す前記第１情報を含む前記印刷制御情報は、フラップの開閉状態を示す第３情報をさらに含み、前記印刷制御手段は、前記印刷制御情報に含まれる前記第１情報が前記印刷対象用紙が封筒であることを示す場合、当該印刷制御情報に含まれる前記第３情報が予め定められた基準状態を示していれば、回転処理がなされた前記印刷対象画像を前記印刷手段に印刷させ、当該第３情報が前記基準状態を示していなければ、前記印刷対象画像を前記印刷手段に印刷させること、を特徴とする。
【０００８】
また、請求項４の発明は、請求項３の発明において、前記印刷対象用紙が封筒であることを示す前記第１情報を含む前記印刷制御情報は、フラップの位置を示す第４情報をさらに含み、前記印刷手段は、用紙を設置するための設置部材に設置された前記印刷対象用紙に前記印刷対象画像を表す画像を印刷し、前記画像処理システムは、前記予め定められた操作が行われた場合に、案内画像を表示手段に表示させることにより前記印刷対象用紙の設置方法を前記操作を行った利用者に案内する案内手段をさらに含み、前記案内手段は、前記印刷制御情報に含まれる前記第１情報が前記印刷対象用紙が封筒であることを示す場合、当該印刷制御情報に含まれる前記第３情報が示す状態と、当該印刷制御情報に含まれる前記第４情報が示す位置と、の組み合わせに応じた前記案内画像を前記表示手段に表示させること、を特徴とする。
【０００９】
また、上記課題を解決するための請求項５の発明は、利用者による印刷制御情報の入力を受け付ける受付手段が受け付けた印刷制御情報を記憶手段に記憶させる手段、予め定められた操作が行われた場合に、前記記憶手段に記憶される印刷制御情報に基づいて、印刷対象用紙への印刷対象画像を表す画像の印刷を印刷手段に行わせる印刷制御手段、としてコンピュータを機能させ、前記印刷制御情報は、前記印刷対象用紙が封筒であるか否かを示す第１情報と、前記印刷対象用紙の寸法を示す第２情報と、を含むこと、を特徴とするプログラムである。
【発明の効果】
【００１０】
請求項１及び５の発明によれば、非定型の封筒に画像を印刷手段に印刷させる際に用いる印刷制御情報を利用者が登録できる。
【００１１】
請求項２の発明によれば、非定型の封筒の向きと、非定型の封筒に印刷された画像の向きと、を一致させることができる。
【００１２】
請求項３の発明によれば、本構成を有しない場合に比して、より高い精度で、非定型の封筒の向きと、非定型の封筒に印刷された画像の向きと、を一致させることができる。
【００１３】
請求項４の発明によれば、フラップの位置及び開閉情報を考慮して、非定型の封筒の設置方法を利用者に案内することができる。
【図面の簡単な説明】
【００１４】
【図１】印刷システムの構成を例示する図である。
【図２】テーブルを例示する図である。
【図３】用紙登録用ユーザインタフェースを例示する図である。
【図４】テーブルを例示する図である。
【図５】印刷設定インタフェースを例示する図である。
【図６】画像処理装置で実行される処理を例示するフロー図である。
【図７Ａ】ユーザ定義封筒用の案内画像を例示する図である。
【図７Ｂ】ユーザ定義封筒用の案内画像を例示する図である。
【図７Ｃ】ユーザ定義封筒用の案内画像を例示する図である。
【図７Ｄ】ユーザ定義封筒用の案内画像を例示する図である。
【発明を実施するための形態】
【００１５】
以下、本発明の実施形態の例について図面に基づき詳細に説明する。
【００１６】
［画像処理システム］
図１は、印刷システム１の構成を例示する図である。印刷システム１は、利用者の画像処理装置２と、プリンタ４と、を含む。画像処理装置２と、プリンタ４と、はネットワークを介して通信可能に接続されている。
【００１７】
［画像処理装置］
画像処理装置２は、例えばパーソナルコンピュータであり、制御部２ａ、主記憶２ｂ、ハードディスク２ｃ、操作入力部２ｄ、表示部２ｅ、及びネットワークインタフェース２ｆ（以下、ネットワークＩＦ２ｆと記載する）を含む。
【００１８】
制御部２ａは、例えばマイクロプロセッサであり、主記憶２ｂに記憶されるプログラムに従って情報処理を実行する。以下、主記憶２ｂに記憶されるプログラムのことをプリンタドライバと呼ぶ。
【００１９】
主記憶２ｂは、ＲＡＭ及びＲＯＭを含む。主記憶２ｂには上記プリンタドライバや、情報処理の過程で必要となる各種データが格納される。なお、上記プリンタドライバは、ＤＶＤ（登録商標）−ＲＯＭ等のコンピュータ読取可能な情報記憶媒体から読み出されて主記憶２ｂに格納されてもよいし、ネットワーク等の通信網から供給されて主記憶２ｂに格納されてもよい。
【００２０】
ハードディスク２ｃは、各種情報を記憶するための記憶媒体である。ハードディスク２ｃには、印刷対象の候補となる複数の画像が格納される。ハードディスク２ｃに格納される他の情報については後述する。
【００２１】
操作入力部２ｄは、例えばマウス及びキーボードであり、ユーザが行った操作の内容を制御部２ａに出力する。また、表示部２ｅは、例えば液晶ディスプレイであり、制御部２ａから入力される情報を表示出力する。
【００２２】
ネットワークＩＦ２ｆは、ネットワークに情報を送信したり、ネットワークから情報を受信したりするためのインタフェースであり、例えば、ネットワークインタフェースカードである。ネットワークＩＦ２ｆは、ネットワークから情報を受信し、制御部２ａに出力する。
【００２３】
また、ネットワークＩＦ２ｆは、制御部２ａから入力された情報をネットワークへと送信する。本実施形態の場合、ネットワークＩＦ２ｆは、印刷対象の画像に基づく印刷ジョブデータをネットワークを介してプリンタ４へと送信する。
【００２４】
［プリンタ］
プリンタ４（印刷手段）は、例えばレーザプリンタである。プリンタ４は、印刷対象の用紙を設置するための用紙トレイ４ａ（設置部材）を備え、画像処理装置２から受信した印刷ジョブデータに基づいて、用紙トレイ４ａに設置された用紙に印刷対象の画像を表す画像を印刷する。
【００２５】
具体的には、プリンタ４が印刷ジョブデータを受信すると、用紙トレイ４ａに設置された用紙が転写ドラムへと搬送され、転写ドラムに付着したトナーが用紙に転写される。そして、トナーを定着させるために、定着ローラによる用紙の加熱及び加圧等がなされた後、用紙が図示しない出力トレイに出力される。なお、定着ローラによる加圧は印刷ジョブデータに基づいて制御される。その結果、用紙の質に合わせて加圧が行われる。
【００２６】
［テーブル］
図２は、上記プリンタドライバのインストールと同時にハードディスク２ｃ（記憶手段）に格納されるテーブルを例示する図である。このテーブルは、印刷対象の候補として登録された用紙（以下、登録用紙と記載する）の用紙名と、プリンタ４による登録用紙への画像の印刷を制御するための印刷制御情報と、を関連付けて保持している。同図に示すように、印刷制御情報は、種別データ（第１情報）と、寸法データ（第２情報）と、状態データ（第３情報）と、位置データ（第４情報）と、を含む。
【００２７】
種別データは登録用紙の種別を示す。言い換えれば、種別データは、登録用紙が封筒であるか否かを示す。例えば、Ａ４用紙への画像の印刷を制御するための印刷制御情報に含まれる種別データは、Ａ４用紙が普通紙であることを示している。すなわち、この種別データは、Ａ４用紙が封筒でないことを示している。また、例えば、Ｂ５用紙への画像の印刷を制御するための印刷制御情報に含まれる種別データは、Ｂ５用紙が普通紙であることを示している。すなわち、この種別データは、Ｂ５用紙が封筒でないことを示している。また、定形封筒への画像の印刷を制御するための印刷制御情報に含まれる種別データは、定形封筒が封筒であることを示している。
【００２８】
ここで、定形封筒とは、標準規格に定められている寸法の封筒であり、市販されている。本実施形態では、定形封筒の短辺にフラップが設けられている。また、印刷の際にはフラップを閉じた上でフラップが設けられている方の短辺を先頭にして定形封筒を用紙トレイ４ａに設置するよう定められている。
【００２９】
また、寸法データは、登録用紙の寸法を示す。寸法には、長辺の長さと短辺の長さとが含まれる。
【００３０】
なお、Ａ４用紙への画像の印刷を制御するための印刷制御情報、Ｂ５用紙への画像の印刷を制御するための印刷制御情報、及び定形封筒への画像の印刷を制御するための印刷制御情報には、状態データ及び位置データは含まれない。状態データ及び位置データの意義については後述する。
【００３１】
以下、プリンタドライバのインストール時から登録用紙として登録されているＡ４用紙、Ｂ５用紙、及び定形封筒を総称して、デフォルト用紙と記載する場合がある。
【００３２】
［用紙登録用ユーザインタフェース］
この画像処理装置２では、ユーザが、上記デフォルト用紙以外の用紙を登録用紙として登録してもよい。例えば、ユーザが、手作りの封筒を、登録用紙として登録してもよい。
【００３３】
以下、デフォルト用紙以外の用紙を登録する方法の一例を説明する。本実施形態の場合、ユーザは、用紙登録用ユーザインタフェース（以下、用紙登録用ＵＩと記載する）を利用する。用紙登録用ＵＩは、ユーザによる、登録対象の用紙の用紙名と、登録対象の用紙への画像の印刷を制御するための印刷制御情報と、の双方の入力を受け付けるユーザインタフェース（受付手段）である。用紙登録用ＵＩは、プリンタドライバに従って動作する制御部２ａにより表示部２ｅに表示される。
【００３４】
図３は、用紙登録用ＵＩを例示する図である。ユーザは、登録対象の用紙の用紙名を、入力欄６ａに入力する。また、ユーザは、登録対象の用紙の寸法を入力する。具体的には、ユーザは、登録対象の用紙の長辺の長さを入力欄６ｂに入力し、登録対象の用紙の短辺の長さを入力欄６ｃに入力する。また、ユーザは、登録対象の用紙の種別を入力する。具体的には、ユーザは、登録対象の用紙が封筒である場合、チェックボックス６ｄにチェックマークを入力し、登録対象の用紙が封筒でない場合、チェックボックス６ｄにチェックマークを入力しない。
【００３５】
また、ユーザは、登録対象の用紙が封筒である場合、登録対象の封筒のフラップ位置を入力する。具体的には、ユーザは、登録対象の封筒の短辺にフラップが設けられている場合、チェックボックス６ｅにチェックマークを入力し、登録対象の封筒の長辺にフラップが設けられている場合、チェックボックス６ｆにチェックマークを入力する。
【００３６】
また、ユーザは、登録対象の用紙が封筒である場合、登録対象の封筒を用紙トレイに設置するときのフラップの開閉状態を入力する。例えば、ユーザは、フラップを開いた状態で登録対象の封筒を用紙トレイに設置するのがよいと考えられる場合、チェックボックス６ｇにチェックマークを入力し、フラップを閉じた状態で登録対象の封筒を用紙トレイに設置するのがよいと考えられる場合、チェックボックス６ｈにチェックマークを入力する。
【００３７】
制御部２ａは、用紙登録用ＵＩが受け付けた用紙名に対応するレコードを上記テーブルに追加し、この用紙名に関連付けて、用紙登録用ＵＩが受け付けた寸法を示す上記寸法データと用紙登録用ＵＩが受け付けた用紙種別を示す上記種別データと用紙登録用ＵＩが受け付けたフラップ位置を示す上記位置データと用紙登録用ＵＩが受け付けた開閉状態を示す上記状態データとを含む印刷制御情報を、上記テーブルに新たに格納する。なお、登録対象の用紙が封筒である場合、上記テーブルに新たに格納される印刷制御情報に、状態データ及び位置データは含まれない。
【００３８】
こうして、デフォルト用紙以外の用紙が登録される。なお、図４にデフォルト用紙以外の用紙が登録された後の上記テーブルを例示した。「開状態」とは、フラップが開いている状態であり、「閉状態」とは、フラップが閉じている状態である。
【００３９】
以下、ユーザにより登録用紙として登録された封筒のことをユーザ定義封筒を呼ぶ。
【００４０】
［印刷設定インタフェース］
ユーザは、ハードディスク２ｃに格納される画像のうちから印刷対象の画像を選択し、印刷設定インタフェースを利用して印刷対象の画像の印刷をプリンタ４に指示する。
【００４１】
図５に印刷設定インタフェースを例示した。表示部２ｅに表示される。本実施形態の場合、ユーザは、印刷対象用紙入力操作（操作）を行い、印刷対象の用紙の用紙名を入力欄８ａに入力する。具体的には、ユーザは、一の登録用紙の用紙名を入力欄８ａに入力する。
【００４２】
また、ユーザは、印刷部数を入力欄８ｂに入力し、カラーモードを入力欄８ｃに入力する。
【００４３】
印刷対象の用紙が入力されると、印刷対象の用紙の設置方法をユーザに案内するための案内画像が案内領域９に表示される。ユーザは、この案内画像を参照して、印刷対象の用紙を用紙トレイ４ａに設置する。そして、印刷対象の用紙を用紙トレイ４ａに設置したユーザは、ボタン１０を押下することにより、印刷の実行をプリンタ４に指示する。
【００４４】
［処理］
図６は、ユーザにより印刷対象用紙入力操作が行われた場合に画像処理装置２で実行される処理を例示するフロー図である。この処理は、制御部２ａがプリンタドライバに従って動作することにより実行される。
【００４５】
制御部２ａは、印刷対象の用紙が封筒であるか否かを判定する（Ｓ１０１）。具体的には、制御部２ａは、印刷設定インタフェースに入力された用紙名に関連付けられた印刷制御情報（以下、注目印刷制御情報と記載する）を読み出し、注目印刷制御情報に含まれる種別データにより示される用紙種別が封筒であるか否かを判定する。
【００４６】
印刷対象の用紙が封筒でない場合、すなわち、印刷対象の用紙が普通紙である場合（Ｓ１０１のＮ）、制御部２ａは、普通紙用の上記案内画像を表示部２ｅに表示させる（Ｓ１０２）。
【００４７】
そして、制御部２ａ（印刷制御手段）は、印刷対象の画像をプリンタ４に印刷させる（Ｓ１０３）。具体的には、制御部２ａは、ボタン１０（図５参照）が押下されると、注目印刷制御情報に基づいて印刷対象の画像の印刷のための印刷ジョブデータを生成し、生成した印刷ジョブデータをプリンタ４に送信する。なお、注目印刷制御情報に含まれる種別データは、定着ローラによる印刷対象の用紙の加熱及び加圧が、印刷対象の用紙の質に合わせて行われるようにするために用いられる。また、注目印刷制御情報に含まれる寸法データは、印刷対象の画像の印刷が、印刷対象の用紙の寸法に合わせて行われるようにするために用いられる。
【００４８】
印刷対象の用紙が封筒である場合（Ｓ１０１のＹ）、制御部２ａは、印刷対象の用紙が定形封筒であるか否かを判定する（Ｓ１０４）。具体的には、制御部２ａは、注目印刷制御情報に状態データも位置データも含まれていないか否かを判定する。注目印刷制御情報に状態データも位置データも含まれていない場合、印刷対象の用紙は定形封筒であり、注目印刷制御情報に状態データも位置データも含まれている場合、印刷対象の用紙は定形封筒ではなくユーザ定義封筒である。
【００４９】
印刷対象の用紙がユーザ定義封筒である場合（Ｓ１０４のＮ）、制御部２ａ（案内手段）は、ユーザ定義封筒用の上記案内画像を表示部２ｅに表示させる（Ｓ１０５）。ここで、制御部２ａは、注目印刷制御情報に含まれる位置データが示すフラップ位置と、注目印刷制御情報に含まれる状態データが示す開閉状態と、の組合せに応じた案内画像を表示部２ｅに表示させる。
【００５０】
図７Ａ〜図７Ｄは、ユーザ定義封筒用の案内画像を例示する図である。これらの案内画像はハードディスク２ｃに格納されている。図７Ａ及び図７Ｂのそれぞれに示す案内画像は、短辺にフラップが設けられたユーザ定義封筒の設置方法を示し、図７Ｃ及び図７Ｄのそれぞれに示す案内画像は、長辺にフラップが設けられたユーザ定義封筒の設置方法を示している。また、図７Ａ及び図７Ｃのそれぞれに示す案内画像は、フラップを開いた状態でユーザ定義封筒を用紙トレイ４ａに設置するときの設置方法を示し、図７Ｂ及び図７Ｄのそれぞれに示す案内画像は、フラップを閉じた状態でユーザ定義封筒を用紙トレイ４ａに設置するときの設置方法を示している。
【００５１】
本実施形態の場合、フラップを閉じた状態でユーザ定義封筒を用紙トレイ４ａに設置する際にはフラップが設けられた方の短辺を先頭にしてユーザ定義封筒を設置するよう定められている。また、フラップを開いた状態でユーザ定義封筒を用紙トレイ４ａに設置する際にはフラップが設けられていない方の短辺を先頭にしてユーザ定義封筒を設置するよう定められている。つまり、フラップが閉じている状態と、フラップが開いている状態と、では、用紙トレイ４ａに設置されるユーザ定義封筒の向きが１８０度異なる。
【００５２】
そのため、制御部２ａ（案内手段）は、注目印刷制御情報に含まれる位置データが示すフラップ位置が「短辺」である場合、注目印刷制御情報に含まれる状態データが示す開閉状態が「開状態」であれば、図７Ａに示す案内画像を表示部２ｅに表示させ、注目印刷制御情報に含まれる状態データが示す開閉状態が「閉状態」であれば、図７Ｂに示す案内画像を表示部２ｅに表示させる。一方、制御部２ａ（案内手段）は、注目印刷制御情報に含まれる位置データが示すフラップ位置が「長辺」である場合、注目印刷制御情報に含まれる状態データが示す開閉状態が「開状態」であれば、図７Ｃに示す案内画像を表示部２ｅに表示させ、注目印刷制御情報に含まれる状態データが示す開閉状態が「閉状態」であれば、図７Ｄに示す案内画像を表示部２ｅに表示させる。
【００５３】
そして、制御部２ａ（印刷制御手段）は、Ｓ１０６乃至Ｓ１０８のステップにおいて、注目印刷制御情報に基づいて、印刷対象の画像を表す画像の印刷をプリンタ４に行わせる。
【００５４】
具体的には、制御部２ａは、ボタン１０が押下されると、フラップの状態が開状態であるか否か、すなわち、注目印刷制御情報に含まれる状態データが開状態（基準状態）を示しているか否かを判定する（Ｓ１０６）。フラップの状態が開状態でない場合（Ｓ１０６のＮ）、制御部２ａ（印刷制御手段）は、Ｓ１０３のステップと同様にして印刷対象の画像をプリンタ４に印刷させる（Ｓ１０７）。上述のように、注目印刷制御情報に含まれる種別データは、定着ローラによる印刷対象の用紙の加熱及び加圧が、印刷対象の用紙の質に合わせて行われるようにするために用いられ、注目印刷制御情報に含まれる寸法データは、印刷対象の画像の印刷が、印刷対象の用紙の寸法に合わせて行われるようにするために用いられる。
【００５５】
上述のように、フラップが閉じている状態と、フラップが開いている状態と、では、用紙トレイ４ａに設置されるユーザ定義封筒の向きが異なる。そこで、フラップの状態が開状態である場合、すなわち、注目印刷制御情報に含まれる状態データが開状態を示している場合（Ｓ１０６のＹ）、制御部２ａ（印刷制御手段）は、印刷対象の画像を１８０度回転してなる回転画像をプリンタ４に印刷させる（Ｓ１０８）。具体的には、注目印刷制御情報に基づいて上記回転画像の印刷のための印刷ジョブデータを生成し、生成した印刷ジョブデータをプリンタ４に送信する。この場合、注目印刷制御情報に含まれる寸法データは、上記回転画像の印刷が、印刷対象の用紙の寸法に合わせて行われるようにするために用いられる。
【００５６】
なお、印刷対象の用紙が、定形封筒である場合（Ｓ１０４のＹ）、制御部２ａは、定形封筒用の案内画像を表示部２ｅに表示させる（Ｓ１０９）。上述のように、本実施形態の場合、定形封筒の短辺にフラップが設けられ、印刷の際にはフラップを閉じた上でフラップが設けられている方の短辺を先頭にして定形封筒を用紙トレイ４ａに設置するよう定められている。そのため、制御部２ａは、図７Ｂに示す案内画像を表示部２ｅに表示させる。
【００５７】
そして、制御部２ａは、印刷対象の画像をプリンタ４に印刷させる（Ｓ１１０）。具体的には、制御部２ａは、ボタン１０（図５参照）が押下されると、Ｓ１０３のステップど同様にして、注目印刷制御情報に基づいて印刷対象の画像の印刷のための印刷ジョブデータを生成し、生成した印刷ジョブデータをプリンタ４に送信する。上述のように、注目印刷制御情報に含まれる種別データは、定着ローラによる印刷対象の用紙の加熱及び加圧が、印刷対象の用紙の質に合わせて行われるようにするために用いられ、注目印刷制御情報に含まれる寸法データは、印刷対象の画像の印刷が、印刷対象の用紙の寸法に合わせて行われるようにするために用いられる。
【００５８】
なお、本発明の実施形態は上記実施形態だけに限らない。
【００５９】
例えば、上記実施形態では、画像処理装置２の外部にプリンタ４が設けられているが、画像処理装置２の内部にプリンタ４が設けられていてよい。
【符号の説明】
【００６０】
１  画像処理システム、２  画像処理装置、２ａ  制御部、２ｂ  主記憶、２ｃ  ハードディスク、２ｄ  操作入力部、２ｅ  表示部、２ｆ  ネットワークインタフェース、４  プリンタ、４ａ  用紙トレイ、６ａ，６ｂ，６ｃ，８ａ，８ｂ，８ｃ  入力欄、６ｄ，６ｅ，６ｆ，６ｇ，６ｈ  チェックボックス、９  案内領域、１０  ボタン。
【図１】
0005845586.tif 000002
【図２】
0005845586.tif 000003
【図３】
0005845586.tif 000004
【図４】
0005845586.tif 000005
【図５】
0005845586.tif 000006
【図６】
0005845586.tif 000007
【図７Ａ】
0005845586.tif 000008
【図７Ｂ】
0005845586.tif 000009
【図７Ｃ】
0005845586.tif 000010
【図７Ｄ】
0005845586.tif 000011